(57)【要約】【課題】列車全体を効率よくまるまる表現できるなど、斬新で、印象的なデザインを施すことができるネクタイを提供する。  これにより、著しく長い列車のほぼ全体を効率的に、まるまる描くことができ、かつ列車の先頭部の流線型形状を模った端部を形成でき、より写実的に列車の図柄を描くことができる。【解決手段】ネクタイ１の大剣部２の端部を左右非対称に形成し、当該ネクタイ１の長手方向に多数の車両４ａを連結した列車４が描かれ、この列車４の先頭部４ｂは大剣部２に位置し、後尾部４ｃは小剣部３に位置する。また、大剣部２の端縁形状は、流線型な車体の先頭部の最先端部の丸みに合わせて模っている。【選択図】図２
0003107632.tif 000002
【実用新案登録請求の範囲】
【請求項１】
多数の車両を連結した列車の図柄をネクタイの長手方向に描き、当該列車の先頭部をネクタイの大剣部に、後尾部をネクタイの小剣部に配置したことを特徴とする、ネクタイ。
【請求項２】
上記列車の先頭部の流線型部分に合わせてネクタイの大剣部端縁を模ったことを特徴とする、上記請求項１に記載のネクタイ。
【考案の詳細な説明】
【技術分野】
【０００１】
この考案は、列車の図柄を効率的に表示したネクタイに関するものである。
【背景技術】
【０００２】
従来、ネクタイの図柄は、プリントによるもの、織り込んだものがある。
また、これらの図柄は種々のものがあり、紋章柄、動物柄、縞模様、格子縞、等がある。
【考案の開示】
【考案が解決しようとする課題】
【０００３】
このようにネクタイの柄は種々あるが、長い幅の列車柄は多数の鉄道マニアの希望がありながら中々表現できないのが現状である。
【０００４】
そこで、この考案は、列車全体を効率よくまるまる表現したものであり、斬新で、印象的なデザインであり、それ故着用してもよく、また、室内に飾ってもよいネクタイを提供しようとするものである。
【課題を解決するための手段】
【０００５】
請求項１の考案は、多数の車両を連結した列車の図柄をネクタイの長手方向に描き、当該列車の先頭部をネクタイの大剣部に、後尾部をネクタイの小剣部に配置した、ネクタイとした。また、請求項２の考案は、上記列車の先端部の流線型部分に合わせてネクタイの大剣部端縁を模った、上記請求項１に記載のネクタイとした。
【考案の効果】
【０００６】
請求項１の考案によれば、著しく長い列車のほぼ全体を効率的に、まるまる描くことができ、より写実的に列車の図柄を描くことができる。この列車全体を描いたデザインは、ネクタイとしては極めて斬新であり、見るものにも強い印象を与える。従って、このネクタイは洋服に着用してもよく、また、室内に飾っても十分鑑賞することができるものである。さらに請求項２の考案によれば、列車で一番特徴的な先頭部の丸みを帯びた流線型を、ネクタイの大剣部端縁に模ったため、その列車の特徴を、ネクタイを見るものに極めて強烈に訴えることができる。また、このように列車の先頭部をネクタイの大剣部端部で、効率的に、自然に描くことができ、デザイン上も優美なものを得ることができる。
【考案を実施するための最良の形態】
【０００７】
多数の車両を連結した列車の図柄をネクタイの長手方向に描き、当該列車の先頭部をネクタイの大剣部に、後尾部をネクタイの小剣部に配置したネクタイとしたことにより、長い列車のデザインを効率的に表わすことができる。
【実施例１】
【０００８】
図１は、この発明のネクタイ１全体を示す正面図であり、図２は上記ネクタイ１の大剣部２及び小剣部３を示す拡大要図である。これらに示すように、ネクタイ１の長手方向に、多数の車両４ａを連結した列車４が描かれ、この列車４の先頭部４ｂは大剣部２に位置し、後尾部４ｃは小剣部３に位置する。また、大剣部２の端縁形状は、流線型な車体の先頭部の最先端部の丸みに合わせて模っている。従って、多数の車両を連結した列車のまるごと全体を１本のネクタイに表示することができた。
【０００９】
なお、当該ネクタイ1に表示した列車４は、九州新幹線の８００系つばめの列車であるが、この列車は上記の実施例の図面に描かれたものに限らず、種々の列車の全体図乃至はほぼ全体図を描くことができる。また、上記大剣部２の端縁は左右対称ではなく、手縫いにより、形成することができる。また、上記実施例はネクタイ１にプリントで列車４を表現したが、この列車の描き方は、プリントによるものに限らない。織り込むでもよい。
【図面の簡単な説明】
【００１０】
【図１】この考案のネクタイの全体を示す正面図である。
【図２】この考案のネクタイの大剣部及び小剣部を示す拡大要図である。
【符号の説明】
【００１１】
１      ネクタイ                        ２        大剣部
３      小剣部                          ４        列車模様        
４ａ    車両                            ４ｂ      先頭部
４ｃ    後尾部
【図１】
0003107632.tif 000003
【図２】
0003107632.tif 000004
【手続補正書】
【提出日】平成16年6月7日(2004.6.7)
【手続補正１】
【補正対象書類名】実用新案登録請求の範囲
【補正対象項目名】全文
【補正方法】変更
【補正の内容】
【実用新案登録請求の範囲】
【請求項１】
ネクタイの大剣部の端部を左右非対称に形成したことを特徴とする、ネクタイ。
【請求項２】
上記左右非対称の大剣部の端部を列車の先端部の流線型部分を模って形成し、多数の車両を連結した列車の図柄をネクタイの長手方向に描き、当該列車の先頭部を大剣部に配置し、小剣部に列車の後尾部を配置したことを特徴とする、請求項１に記載のネクタイ。
【手続補正２】
【補正対象書類名】明細書
【補正対象項目名】全文
【補正方法】変更
【補正の内容】
【考案の詳細な説明】
【技術分野】
【０００１】
この考案は、列車等の図柄を効率的に表示できるネクタイに関するものである。
【背景技術】
【０００２】
従来、ネクタイの図柄は、プリントによるもの、織り込んだものがある。
また、これらの図柄は種々のものがあり、紋章柄、動物柄、縞模様、格子縞、等がある。
【考案の開示】
【考案が解決しようとする課題】
【０００３】
このようにネクタイの柄は種々あるが、長い幅の列車柄は多数の鉄道マニアの希望がありながら中々表現できないのが現状である。
【０００４】
そこで、この考案は、列車全体を効率よくまるまる表現できるなど、斬新で、印象的なデザインを施すことができるネクタイを提供しようとするものである。
【課題を解決するための手段】
【０００５】
請求項１の考案はネクタイの大剣部の端部を左右非対称に形成した、ネクタイとした。また、請求項２の考案は、上記左右非対称の大剣部の端部を列車の先端部の流線型部分を模って形成し、多数の車両を連結した列車の図柄をネクタイの長手方向に描き、当該列車の先頭部を大剣部に配置し、小剣部に列車の後尾部を配置した上記請求項１に記載のネクタイとした。
【考案の効果】
【０００６】
請求項１の考案によれば、ネクタイの大剣部の端部を左右非対称に形成したことにより、著しく長い列車のほぼ全体を効率的に、まるまる描くことができ、より写実的に列車の図柄を描くことができる。この列車全体を描いたデザインは、ネクタイとしては極めて斬新であり、見るものにも強い印象を与える。従って、このネクタイは洋服に着用してもよく、また、室内に飾っても十分鑑賞することができるものである。さらに請求項２の考案によれば、列車で一番特徴的な先頭部の丸みを帯びた流線型を、ネクタイの大剣部端縁に模ったため、その列車の特徴を、ネクタイを見るものに極めて強烈に訴えることができる。また、このように列車の先頭部をネクタイの大剣部端部で、効率的に、自然に描くことができ、デザイン上も優美なものを得ることができる。
【考案を実施するための最良の形態】
【０００７】
ネクタイの大剣部の端部を左右非対称に形成し、多数の車両を連結した列車の図柄をネクタイの長手方向に描き、当該列車の先頭部をネクタイの大剣部に、後尾部をネクタイの小剣部に配置したネクタイとしたことにより、長い列車のデザインを効率的に表わすことができる。
【実施例１】
【０００８】
図１は、この発明のネクタイ１全体を示す正面図であり、図２は上記ネクタイ１の大剣部２及び小剣部３を示す拡大要図である。これらに示すように、まず、ネクタイ１の大剣部２の端部を左右非対称に形成し、ネクタイ１の長手方向に、多数の車両４ａを連結した列車４が描かれ、この列車４の先頭部４ｂは大剣部２に位置し、後尾部４ｃは小剣部３に位置する。また、大剣部２の端縁形状は、流線型な車体の先頭部の最先端部の丸みに合わせて模っている。
【０００９】
なお、当該ネクタイ1に表示した列車４は、九州新幹線の８００系つばめの列車であるが、この列車は上記の実施例の図面に描かれたものに限らず、種々の列車の全体図乃至はほぼ全体図を描くことができる。また、上記大剣部２の端縁は左右対称ではなく、手縫いにより、形成することができる。また、上記実施例はネクタイ１にプリントで列車４を表現したが、この列車の描き方は、プリントによるものに限らない。織り込んだものでもよい。
【図面の簡単な説明】
【００１０】
【図１】この考案のネクタイの全体を示す正面図である。
【図２】この考案のネクタイの大剣部及び小剣部を示す拡大要図である。
【符号の説明】
【００１１】
１      ネクタイ                        ２        大剣部
３      小剣部                          ４        列車        
４ａ    車両                            ４ｂ      先頭部
４ｃ    後尾部
【手続補正書】
【提出日】平成16年9月2日(2004.9.2)
【手続補正１】
【補正対象書類名】実用新案登録請求の範囲
【補正対象項目名】全文
【補正方法】変更
【補正の内容】
【実用新案登録請求の範囲】
【請求項１】
ネクタイの大剣部の端部を左右非対称に形成したことを特徴とする、ネクタイ。
【請求項２】
上記左右非対称の大剣部の端部を列車の先端部の流線型部分を模って形成し、多数の車両を連結した列車の図柄をネクタイの長手方向に描き、当該列車の先頭部を大剣部に配置し、小剣部に列車の後尾部を配置したことを特徴とする、請求項１に記載のネクタイ。
【手続補正２】
【補正対象書類名】明細書
【補正対象項目名】全文
【補正方法】変更
【補正の内容】
【考案の詳細な説明】
【技術分野】
【０００１】
この考案は、列車等の図柄を効率的に表示できるネクタイに関するものである。
【背景技術】
【０００２】
従来、ネクタイの図柄は、プリントによるもの、織り込んだものがある。
また、これらの図柄は種々のものがあり、紋章柄、動物柄、縞模様、格子縞、等がある。
【考案の開示】
【考案が解決しようとする課題】
【０００３】
このようにネクタイの柄は種々あるが、長い幅の列車柄は多数の鉄道マニアの希望がありながら中々表現できないのが現状である。
【０００４】
そこで、この考案は、列車全体を効率よくまるまる表現できるなど、斬新で、印象的なデザインを施すことができるネクタイを提供しようとするものである。
【課題を解決するための手段】
【０００５】
請求項１の考案はネクタイの大剣部の端部を左右非対称に形成した、ネクタイとした。また、請求項２の考案は、上記左右非対称の大剣部の端部を列車の先端部の流線型部分を模って形成し、多数の車両を連結した列車の図柄をネクタイの長手方向に描き、当該列車の先頭部を大剣部に配置し、小剣部に列車の後尾部を配置した上記請求項１に記載のネクタイとした。
【考案の効果】
【０００６】
請求項１の考案によれば、ネクタイの大剣部の端部を左右非対称に形成したことにより、著しく長い列車のほぼ全体を効率的に、まるまる描くことができ、より写実的に列車の図柄を描くことができる。この列車全体を描いたデザインは、ネクタイとしては極めて斬新であり、見るものにも強い印象を与える。従って、このネクタイは洋服に着用してもよく、また、室内に飾っても十分鑑賞することができるものである。さらに請求項２の考案によれば、列車で一番特徴的な先頭部の丸みを帯びた流線型を、ネクタイの大剣部端縁に模ったため、その列車の特徴を、ネクタイを見るものに極めて強烈に訴えることができる。また、このように列車の先頭部をネクタイの大剣部端部で、効率的に、自然に描くことができ、デザイン上も優美なものを得ることができる。
【考案を実施するための最良の形態】
【０００７】
ネクタイの大剣部の端部を左右非対称に形成し、多数の車両を連結した列車の図柄をネクタイの長手方向に描き、当該列車の先頭部をネクタイの大剣部に、後尾部をネクタイの小剣部に配置したネクタイとしたことにより、長い列車のデザインを効率的に表わすことができる。
【実施例１】
【０００８】
図１は、この発明のネクタイ１全体を示す正面図であり、図２は上記ネクタイ１の大剣部２及び小剣部３を示す拡大要図である。これらに示すように、まず、ネクタイ１の大剣部２の端部を左右非対称に形成し、ネクタイ１の長手方向に、多数の車両４ａを連結した列車４が描かれ、この列車４の先頭部４ｂは大剣部２に位置し、後尾部４ｃは小剣部３に位置する。また、大剣部２の端縁形状は、流線型な車体の先頭部の最先端部の丸みに合わせて模っている。
【０００９】
なお、当該ネクタイ1に表示した列車４は、九州新幹線の８００系つばめの列車であるが
、この列車は上記の実施例の図面に描かれたものに限らず、種々の列車の全体図乃至はほぼ全体図を描くことができる。また、上記大剣部２の端縁は左右対称ではなく、手縫いにより、形成することができる。また、上記実施例はネクタイ１にプリントで列車４を表現したが、この列車の描き方は、プリントによるものに限らない。織り込んだものでもよい。
【図面の簡単な説明】
【００１０】
【図１】この考案のネクタイの全体を示す正面図である。
【図２】この考案のネクタイの大剣部及び小剣部を示す拡大要図である。
【符号の説明】
【００１１】
１      ネクタイ                        ２        大剣部
３      小剣部                          ４        列車        
４ａ    車両                            ４ｂ      先頭部
４ｃ    後尾部
【手続補正書】
【提出日】平成16年9月24日(2004.9.24)
【手続補正１】
【補正対象書類名】手続補正書
【補正対象項目名】手続補正３
【補正方法】削除
【補正の内容】